(57)【要約】【課題】封入体を綴じ込むために用いる綴じ込み頁部材に、(1) 荷重を受ける構造体として部材の剛性と、同時に、(2) 自動鞍掛機を通過するための可撓性を備える。【解決手段】内容物を入れ周囲を封じた封入体４０であって、上面シートと下面シートが貼り付いた額縁部４３と内容物が存在する内容部４４を有する封入体を中綴じ製本物に綴じ込む封入体付き綴じ込み頁部材である。中間紙２０、台紙２３と封入体４０からなり、中間紙は別頁紙２１と保持頁紙２２が背部２４を挟んで連続している。台紙は貫通窓部３５と窓縁部３９を有し、保持頁紙に台紙を貼り付けている。貫通窓部に内容部を位置付け、封入体と台紙を固定している。台紙の表面に、背部と平行な方向に、複数のＶカット切り込み３２を形成し、裏面にＶカット切り込み３４を形成している。【選択図】図２
2011161658.tif 000002
【特許請求の範囲】
【請求項１】
上面シートと下面シートの間に内容物を入れ周囲を封じた封入体であって、上面シートと下面シートが貼り付いた額縁部と内容物が存在する内容部を有する前記封入体を中綴じ製本物に綴じ込む封入体付き綴じ込み頁部材であって、
中間紙、台紙と封入体からなり、
前記中間紙は別頁紙と保持頁紙が背部を挟んで連続していて、
前記台紙は貫通窓部と前記貫通窓部の周縁部である窓縁部を有し、
前記保持頁紙に前記台紙を貼り付けていて、
前記貫通窓部に前記内容部を位置付け、前記窓縁部と前記額縁部を付着して前記封入体と前記台紙を固定し、
前記台紙の表面に、背部と平行な方向に、複数のＶカット切り込みを形成してあり、同時に前記表面のＶカット切り込みに合わせた裏面にＶカット切り込みを形成してある封入体付き綴じ込み頁部材。
【請求項２】
前記台紙は表台紙と裏台紙の２枚からなり、これらを貼り付けたものであり、
前記窓縁部であって、前記表台紙裏面と前記裏台紙表面間に前記額縁部を挟み込んで固定していて、
前記台紙表面のＶカット切り込みは表台紙に形成され、裏面のＶカット切り込みは裏台紙に形成されていることを特徴とする請求項１に記載した封入体付き綴じ込み頁部材。
【請求項３】
前記封入体の内容物が液体であることを特徴とする請求項１乃至２いずれかに記載した封入体付き綴じ込み頁部材。
【請求項４】
請求項１乃至３いずれかに記載した封入体付き綴じ込み頁部材と中間紙を中綴じ製本して製造された中綴じ製本物。
【請求項５】
前記台紙の上辺は中綴じ製本物の天と一致し、前記台紙の下辺は中綴じ製本物の地と一致し、前記台紙の小口は中綴じ製本物の小口と一致し、かつ、前記貫通窓部を含んだ前記台紙の面積が、中綴じ製本物の表紙面積の２／３以上９／１０以下である請求項４に記載した中綴じ製本物。
【請求項６】
請求項１乃至３いずれかに記載した封入体付き綴じ込み頁部材を自動鞍掛機を使用して丁合し、背をステッチャーで綴じることを特徴とする封入体が綴じ込まれた中綴じ製本物の製造方法。
【発明の詳細な説明】
【技術分野】
【０００１】
本発明は、例えば、液体シャンプー試供品のような２枚のシートの間に液体や粉体を入れ周囲を封じた封入体を中綴じ製本物に付属させるための封入体付き綴じ込み頁部材と同様な中綴じ製本物に関するものである。
【背景技術】
【０００２】
液体や粉体の試供品を配布するために、２枚のシートの間に液体や粉体を入れ周囲を封じた封入体が使用されている。このような封入体を製本物に綴じ込むためには、製本物が多数積み上げられた場合に、荷重を受ける構造体が必要である。
【０００３】
従来、２つ折りにより本の閉じサイズと略同形同大をなすように断裁された比較的肉厚の紙板の内面に、上記２つ折りにより対向する凹所を設け、該凹所内に偏平状の付録物を収容せしめてこの付録物を上記２つ折りにより重合される紙板同志の接着により封入保持せしめて台紙を構成し、この台紙の一側縁を常法により本に綴じ込むことを特徴とする本への付録の綴じ込み方法が提案されている。
【０００４】
しかし、雑誌などに多用される中綴じ製本物の製本過程は、ステッチャー止工程の準備段階で、折丁を開いて丁合を行う自動鞍掛機を使用する。図５は中綴じ製本装置における自動鞍掛機の説明図である。自動鞍掛機５０は第一ドラム５２、ラップくわえ爪５７を有する左ドラム５６、爪５９を有する右ドラム５８を備える。第一ドラム５２、左ドラム５６と右ドラム５８はそれぞれ図示した矢印方向に回転する。
【０００５】
スタッカー６１の中に折丁が積まれている。吸着口５４によって、積まれた折丁の下一枚（５１ａ）が第一ドラム５２に巻きつけられる。第一ドラム５２が回転して、折丁の背が上端位置５５に達するまで、折丁（５１ｂ）が持ち上げられる。そして、ラップくわえ爪５７により折丁（５１ｃ）のラップをくわえ下方に引っ張る。同時に爪５９は折丁の前部をくわえて開き剣６０に落とされる。このようにして、折丁が開かれ、ステッチャー止工程に進む。
【０００６】
折丁が上端位置に持ち上げられる過程で、折丁（５１ｂ）は第一ドラム５２の外周とドラムカバー５３の間隙に入る。第一ドラム５２の外周とドラムカバー５３の間隙は、ラップくわえ爪５７や爪５９の動作などに規制されていて、２０ｍｍ程度である。従って、機械化された中綴じ製本を行うためには、中綴じ製本体を構成する中間紙や表紙は、当該ドラム外周空間に進入可能でなければならない。
【０００７】
封入体を綴じ込むためには、綴じ込み頁部材は、
(1) 荷重を受ける構造体として部材の剛性が必要であり、かつ、
(2) 自動鞍掛機を通過するために、可撓性が必要
である。
【先行技術文献】
【特許文献】
【０００８】
【特許文献１】特開平６−３１６１８７号公報
【発明の概要】
【発明が解決しようとする課題】
【０００９】
解決しようとする問題点は封入体を綴じ込むために用いる綴じ込み頁部材に、
(1) 荷重を受ける構造体として部材の剛性と、同時に、
(2) 自動鞍掛機を通過するための可撓性
を備えることである。
【００１０】
本発明のその他の課題は、本発明の説明により明らかになる。
【課題を解決するための手段】
【００１１】
以下に課題を解決するための手段を述べる。理解を容易にするために、本発明の実施態様に対応する符号を付けて説明するが、本発明は当該実施態様に限定されるものではない。また、符号である数字は部品などを集合的に示す場合があり、後に説明する実施例において個別の部品などを示す場合に、当該数字のあとにアルファベットの添字を付けているものがある。
【００１２】
本発明の一の態様にかかる封入体付き綴じ込み頁部材は、
上面シートと下面シートの間に内容物を入れ周囲を封じた封入体（４０）であって、上面シートと下面シートが貼り付いた額縁部（４３）と内容物が存在する内容部（４４）を有する前記封入体を中綴じ製本物に綴じ込む封入体付き綴じ込み頁部材であって、
中間紙（２０）、台紙（２３）と封入体（４０）からなり、
前記中間紙は別頁紙（２１）と保持頁紙（２２）が背部（２４）を挟んで連続していて、
前記台紙は貫通窓部（３５）と前記貫通窓部の周縁部である窓縁部（３９）を有し、
前記保持頁紙に前記台紙を貼り付けていて、
前記貫通窓部に前記内容部を位置付け、前記窓縁部と前記額縁部を付着して前記封入体と前記台紙を固定し、
前記台紙の表面に、背部（２４）と平行な方向に、複数のＶカット切り込み（３２）を形成してあり、同時に前記表面のＶカット切り込みに合わせた裏面にＶカット切り込み（３４）を形成している。
【００１３】
本発明の好ましい実施態様にかかる封入体付き綴じ込み頁部材にあって、
前記台紙は表台紙と裏台紙の２枚からなり、これらを貼り付けたものであり、
前記窓縁部であって、前記表台紙裏面と前記裏台紙表面間に前記額縁部を挟み込んで固定していて、
前記台紙表面のＶカット切り込みは表台紙に形成され、裏面のＶカット切り込みは裏台紙に形成されているものであってもよい。
【００１４】
この好ましい実施態様によれば、２枚の台紙を重ねて耐圧構造体を形成するので、内容部の厚さが厚い封入体であっても、綴じ込みが可能となる。
【００１５】
本発明の他の好ましい実施態様にかかる封入体付き綴じ込み頁部材は、
前記封入体の内容物が液体であってもよい。
【００１６】
本発明の他の態様にかかる中綴じ製本物は、
本発明にかかる封入体付き綴じ込み頁部材と中間紙を中綴じ製本して製造した中綴じ製本物である。
【００１７】
本発明にかかる中綴じ製本物の好ましい実施態様にかかる中綴じ製本物にあっては、
前記台紙の上辺は中綴じ製本物の天と一致し、前記台紙の下辺は中綴じ製本物の地と一致し、前記台紙の小口は中綴じ製本物の小口と一致し、かつ、前記貫通窓部を含んだ前記台紙の面積が、中綴じ製本物の表紙面積の２／３以上９／１０以下であってもよい。
【００１８】
この好ましい実施態様によれば、厚さが厚い台紙の領域が、製本物の平面領域にほぼ行き渡り、平積みで重ね合わせることが出来るからである。
【００１９】
本発明のその他の態様にかかる中綴じ製本物の製造方法は、
本発明にかかる封入体付き綴じ込み頁部材を、自動鞍掛機を使用して丁合し、背をステッチャーで綴じることを特徴とする。
【００２０】
以上説明した本発明、本発明の好ましい実施態様、これらに含まれる構成要素は可能な限り組み合わせて実施することができる。
【発明の効果】
【００２１】
本発明の一の態様にかかる封入体付き綴じ込み頁部材は、その他の特徴と共に、台紙に貫通窓部を備え当該貫通窓部に内容部を位置付け、また、台紙の表面と裏面に背部と平行なＶカット切り込みを形成している。中綴じ製本体に負荷される加重は台紙の厚さで受け止める。同時に、Ｖカット切り込み部分が関節のように作用して自動鞍掛機のドラム外周間隙に入ることができる。
【００２２】
本発明の他の態様にかかる中綴じ製本物は、自動製本装置を使って製本できるので、手軽かつ安価で、封入体を製本物に綴じ込むことができる。
【００２３】
本発明のその他の態様にかかる中綴じ製本物の製造方法は、封入体の綴じ込みを自動化、機械化できる利点がある。
【図面の簡単な説明】
【００２４】
【図１】図１は中綴じ製本物の斜視図である。
【図２】図２は封入体付き綴じ込み頁部材の平面図である。
【図３】図３は台紙の断面図であり、図２中にＡＢ線で示した部分の断面図である。
【図４】図４は封入体の斜視図である。
【図５】図５は中綴じ製本装置における自動鞍掛機の説明図である。
【発明を実施するための形態】
【００２５】
以下、図面を参照して本発明の実施例にかかる封入体付き綴込み頁部材、中綴じ製本物と中綴じ製本物の製造方法をさらに説明する。本明細書において参照する各図は、本発明の理解を容易にするため、一部の構成要素を誇張して表すなど模式的に表しているものがある。このため、構成要素間の寸法や比率などは実物と異なっている場合がある。また、本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００２６】
図１は本発明にかかる中綴じ製本物１０の斜視図である。中間紙の一枚であり厚めの紙である台紙２３が、中綴じ製本物１０の天１３と小口１４から見えている。中綴じ製本物１０は、背１１の２箇所がステッチャーで綴じられている。
【００２７】
図２は封入体付き綴じ込み頁部材の平面図である。封入体付き綴込み頁部材は、中間紙２０、台紙２３と封入体４０を含んでいる。中間紙２０は別頁紙２１と保持頁紙２２が背部２４を挟んで連続した紙である。背部２４は中間紙を折った折線である。
【００２８】
保持頁紙２２に、台紙２３が貼り付けられている。
【００２９】
本実施例において、台紙２３は、表台紙３１と裏台紙３３からなる。表台紙３１と裏台紙３３は切抜き部があり、当該切抜き部が貫通窓部３５である。本実施例にあって、単一の台紙２３中に、貫通窓部３５は３箇所ある。貫通窓部の外周部を窓縁部３９と名付けている。
【００３０】
図４を参照して封入体４０は上面シートと下面シートの間に内容物を入れ周囲を封じた封入体である。封入体４０は上面シートと下面シートが貼り付いた額縁部４３と内容物が存在する内容部４４を有する。
【００３１】
上面シートと下面シートは、例えば、ポリエチレン、ポリプロピレン、塩化ビニル、不織布、ポリエチレンを内側にラミネートした複合フィルム（紙、ナイロン、ポリエステル、アルミニウム蒸着膜など）である。これらを合せて、圧熱を負荷してシールしている。
【００３２】
内容物は、液体であったり、粉体であったり、ペーストであったりする。
【００３３】
額縁部４３は扁平である。また、額縁部４３は、加重が負荷されても、通常、なんら影響がない。
【００３４】
内容部４４は厚みを有する部分である。また、内容部４４に加重が負荷されると、封入体の上面シート及び／または下面シートが破れたり、当該加重が額縁部に伝達し、額縁部が破れたりする。
【００３５】
封入体付き綴じ込み頁部材の説明に戻る。台紙２３と封入体４０の配置は、貫通窓部３５に内容部４４を位置付け、窓縁部３９に額縁部４３を付着して、封入体と台紙を固定している。
【００３６】
本実施例においては、台紙２３を表台紙３１と裏台紙３３の２枚で構成しているので、表台紙の窓縁部と裏台紙の窓縁部の両方に接着剤を塗布し、額縁部４３を挟みこんで接着している。
【００３７】
もっとも、接着は必ずしも必要ではなく、接着剤なしで、単に挟み込むだけであってもよい。また、台紙が一枚の紙から構成される場合には、例えば、額縁部の一面だけを台紙の窓縁部と接着してもよい。さらには、ビニールテープなどを使用して、台紙と封入体の配置を固定してもよい。
【００３８】
このように、台紙の厚みで加重を受ける構造にして、封入体の内容部に加重がかからないようにしている。
【００３９】
台紙の表面に、背部と平行な方向に、複数のＶカット切り込み３２を形成している。同時に台紙の裏面にＶカット切り込み３４を形成している。表面に形成されたＶカット切り込み３２と裏面に形成されたＶカット切り込み３４は表裏の同一位置に形成されている。
【００４０】
Ｖカット切り込みは、当該切込み線で台紙が折れ曲がるために形成する。すなわちＶカット切り込み部分が関節のような作用をし、台紙が曲面に追随するようになる。複数のＶカット切り込み３２、３４が背部と平行な方向に形成されている理由は、自動鞍掛機の第一ドラム外周空間が曲がっている方向と、台紙が曲面に追随する方向を一致させるためである。
【００４１】
Ｖカット切り込み間の間隔は、１５ｍｍ以上３０ｍｍ以下にすればよい。自動鞍掛機の第一ドラムは、通常直径２２０ｍｍであり、その外周に追随するためである。
【００４２】
図３を参照して、表台紙３１に形成されたＶカット切り込み３２と裏台紙３３に形成されたＶカット切り込み３４は表裏の関係にある同一位置にある。
【００４３】
台紙２３及び／または表台紙３１、裏台紙３３は、例えば、厚さ１．５ｍｍ程度のチップボールなどの厚みのある板紙を使用できる。Ｖカット切り込みは、例えば、Ｖ形状の先端部分、すなわち切り込み最深部分で０．１ｍｍ〜０．２ｍｍ紙を残すように形成すればよい。
【００４４】
以上説明した封入体付き綴じ込み頁部材は、これを背部で折り曲げて、折丁にして自動鞍掛機を使用して丁合、ステッチャー止めすればよい。こうして、封入体付きの中綴じ製本物の製造に、自動製本機を使用することができる。
【００４５】
台紙の上辺３６は中綴じ製本物の天１３と一致し、台紙の下辺３７は中綴じ製本物の地１３と一致し、前記台紙の小口３８は中綴じ製本物の小口１４と一致し、かつ、貫通窓部を含んだ台紙の面積が、中綴じ製本物の表紙面積の２／３以上９／１０以下である中綴じ製本物が好ましい。厚さの厚い台紙の領域が、製本物の平面領域にほぼ行き渡り、平積みで重ね合わせることが出来るからである。
【００４６】
ここで、台紙の背と製本物の背を一致させるとステッチャー止めが困難になるので、背部の近傍は台紙領域から除くことが好ましいので、上記面積範囲となる。
【００４７】
中綴じ製本物の天、地と小口が、台紙の上辺、下辺と小口と一致する製本物とは、すなわち、製本後に、三方断裁仕上げをした結果製造される製本物である。
【符号の説明】
【００４８】
１０    中綴じ製本物
２０    中間紙
２１    別頁紙
２２    保持頁紙
２３    台紙
２４    背部
３１    表台紙
３２    Ｖカット切り込み
３３    裏台紙
３４    Ｖカット切り込み
３５    貫通窓部
３９    窓縁部
４０    封入体
４３    額縁部
４４    内容部
５０    中綴じ製本装置における自動鞍掛機
５１、５１Ａ、５１ｂ、５１ｃ    折丁
５２    第一ドラム
５３    ドラムカバー
５５    上端位置
【図１】
2011161658.tif 000003
【図２】
2011161658.tif 000004
【図３】
2011161658.tif 000005
【図４】
2011161658.tif 000006
【図５】
2011161658.tif 000007